(57)【要約】【課題】  コンパクトかつ簡易な構造で、粒状ドライアイスを正確な計量値で取り出すことのできる装置を提供する。【解決手段】  有平底円筒形状の本体部１０及び蓋体１１を備え、直立筒形状の粒状ドライアイス排出路１２が上下に貫通して開設される粒状ドライアイス収容部２の内底部に、ハウジング１３、その内部に回転可能に収容される枡体１４及びその上を覆わせる上面板１５を備える回転式計量装置５を収設し、その上部に撹拌具６を回転可能に収設して撹拌具６と枡体１４とを同期回転可能に構成し、上面板１５に粒状ドライアイス導入口１７を開口し、ハウジング１３の下面板１３Ａに粒状ドライアイス導出口１８を開口し、枡体１４に粒状ドライアイス計量孔１９を上下に貫通して設け、粒状ドライアイス収容部２の直下で粒状ドライアイス排出路１２に対応する位置に粒状ドライアイス取出し容器７を前面側からの出し入れ可能に配置した。【選択図】    図１
2005331316.tif 000002
【特許請求の範囲】
【請求項１】
内・外壁共に有平底円筒形状の本体部（１０）及び該本体部（１０）の上面開口を気密に覆わせる蓋体（１１）を備えて断熱構造に形成され、底壁の前面側周縁寄りの一部に直立状の粒状ドライアイス排出路（１２）が上下に貫通して開設されてなる粒状ドライアイス収容部（２）の内底部に、平底パン形状のハウジング（１３）、断熱構造に形成されて前記ハウジング（１３）内に回転可能に収容される円盤形状の枡体（１４）及びその上を覆わせる上面板（１５）を備える回転式計量装置（５）を収設し、さらに前記上面板（１５）の直上部に回転羽根状の複数本の撹拌翼（１６）を備える撹拌具（６）を回転可能に収設して、この撹拌具（６）と枡体（１４）とを同期回転可能に構成してなり、前記上面板（１５）の周縁寄りの一部で前記粒状ドライアイス排出路（１２）開口個所とは異なる位相位置に横断面が部分円弧片状の粒状ドライアイス導入口（１７）を開口する一方、前記ハウジング（１３）における下面板（１３Ａ）の前記粒状ドライアイス排出路（１２）に同軸で対応する位置に該粒状ドライアイス排出路（１２）に比し開口面積が小さい粒状ドライアイス導出口（１８）を開口し、枡体（１４）の周縁寄りの一部で前記粒状ドライアイス導入口（１７）及び前記粒状ドライアイス導出口（１８）に同軸で対応する位置に粒状ドライアイス導入口（１７）に対応する大きさの粒状ドライアイス計量孔（１９）を上下に貫通して設け、また、前記粒状ドライアイス収容部（２）の直下方で粒状ドライアイス排出路（１２）に対応する位置に粒状ドライアイス取出し容器（７）を前面側からの出し入れ可能に配置してなることを特徴とする粒状ドライアイスの定量取出し装置。
【請求項２】
前記粒状ドライアイス導入口（１７）にその開口面積を増減させる調整板（２２）を付設し、粒状ドライアイス計量孔（１９）に流下する粒状ドライアイスの量を増減調節するように構成した請求項１記載の粒状ドライアイスの定量取出し装置。
【請求項３】
粒状ドライアイス収容部（２）の下方に設けた下段ケーシング（４）の上面板における前記粒状ドライアイス排出路（１２）に対し真下の個所に粒状ドライアイス回収口（２０）が開口されてなり、粒状ドライアイス収容部（２）内の残存粒状ドライアイスを回収する際、粒状ドライアイス取出し容器（７）を所定位置から取出した状態下において、前記撹拌具（６）と前記枡体（１４）とを同期回転することにより、残存粒状ドライアイスを前記粒状ドライアイス回収口（２０）を経て下段ケーシング（４）に設置した粒状ドライアイス回収箱（９）に回収可能に形成してなる請求項１又は２に記載の粒状ドライアイスの定量取出し装置。
【請求項４】
粒状ドライアイス収容部（２）を挟み両側に隣設される上段側部ケーシング（３），（３）が、前記粒状ドライアイス収容部（２）の外径（Ｒ）に比し奥行寸法（Ｄ）が小さい立方形状であって、粒状ドライアイス収容部（２）の前・後面側の少なくとも前面側を膨出させる配置にて設けられる請求項３記載の粒状ドライアイスの定量取出し装置。
【発明の詳細な説明】
【技術分野】
【０００１】
本発明は、粒状ドライアイスを一定量ずつ取出すための定量取出し装置に関する。
【背景技術】
【０００２】
一般小売商店、スーパーマーケットや百貨店等で冷凍食品、氷菓、ケーキ等を購入すると、保冷材としてドライアイスを同梱して手渡されるのが普通である。最近は、必要量が容易に得られること、安全上や取扱い上の利点があることなどの利便性があるところから、円筒ペレット状等の粒状ドライアイスが多用されるようになってきている。
【０００３】
このような利便性に加えて、相当量の保管が一度にしかも衛生的に行えるのと、昇華によるロスが少なく経済的でありかつ計量管理が十分であるなど多くの有利性を備えている点から、粒状ドライアイスを簡単な操作で、かつ正確な計量下で取出すことが可能なこの種の定量取出し装置が、スーパーマーケットや百貨店等の比較的大規模店で利用される傾向にある（例えば、特許文献１参照。）。
【０００４】
以下、図５に基づき従来の粒状ドライアイスの定量取出し装置について説明する。
断熱構造の粒状ドライアイス収容室１内に撹拌具６を回転可能に配置するとともに、粒状ドライアイス収容室１の底壁の一部にドライアイス導出口５を開口し、粒状ドライアイス収容室１の下側に内部に枡部材９を回転可能に収容した回転式計量装置７を配置し、この回転式計量装置７の上面板にドライアイス導出口５と対応する大きさの開口を上下貫通状に形成するとともに、回転式計量装置７の下面板でのドライアイス導出口５の形成個所とは異なる位相位置にドライアイス排出口１４を形成し、このドライアイス排出口１４に対応して粒状ドライアイス取出し容器１６を出退可能に配置し、撹拌具６と枡部材９とを同期回転可能に構成してなる粒状ドライアイスの定量取出し装置である。
【０００５】
この図５に示す従来の粒状ドライアイスの定量取出し装置は、以下に述べるようにして粒状ドライアイスの定量取出しを行わせる。粒状ドライアイス収容室１内に粒状ドライアイスを充填収容した状態で、回転式の枡部材９に形成した計量空間がドライアイス導出口５と合致した際に、粒状ドライアイスが該計量空間に流下して一定量の粒状ドライアイスを収容し、この計量空間のさらなる回転により計量空間とドライアイス排出口１４とが合致することにより粒状ドライアイスを計量空間容積で計量した状態で一定量ずつ取出すことになるのである。
【０００６】
なお、この取出しの場合において、枡部材９の回転と同期して回転する撹拌具６を粒状ドライアイス収容室１内に配置していることから、撹拌具６が粒状ドライアイス収容室１内で回転することになり、従って、粒状ドライアイス収容室１内で粒状ドライアイスが架橋現象を起こすことがあっても回転する撹拌具６でその架橋を破壊することになる。
【特許文献１】特開２００２−３２１７７８号公報（特に特許請求の範囲及び図２）
【発明の開示】
【発明が解決しようとする課題】
【０００７】
上述する従来の粒状ドライアイスの定量取出し装置は、図５から明らかなように、有底直四角筒状を成している粒状ドライアイス収容室１内において粒状ドライアイスが実質的に収容される空間の個所は下窄まりの截頭四角錐状であり、この内部にフォーク状の撹拌具６が回転可能に配置された構造となっていて、撹拌具６による撹拌効果を高める意図からこの截頭四角錐状とその周りの前記有底直四角筒状との間にかなりの容積のデッドスペースが形成される関係上、粒状ドライアイス収容率が低下することとなってケーシング本体２の形状がコンパクトに収まり難い問題が考えられるのである。
【０００８】
また、下窄まりに狭くした底部に配置される回転式計量装置７の横断面形状に対して、装置本体の外形を決定付ける前記ケーシング本体２の横断面形状が相対的に大きくなる構造であるために、ドライアイス取出し路１７が外向きの斜降状に配置されざるを得なくなり、ドライアイス排出口１４から流下する粒状ドライアイスの一部がドライアイス取出し路１７の斜めに延在している側壁に接当してくっついたままになったり架橋を惹き起こしたりする虞があって、ドライアイス取出し容器１６への円滑なドライアイスの取り出しを妨げることが考えられるのである。
【課題を解決するための手段】
【０００９】
本発明は、このような問題点に着目して成されたものであって、その目的は、コンパクトな構造の下で撹拌効果を高め得るとともに、架橋現象を発生させないようにしながら粒状ドライアイスを正確な値で所定量取り出すことのできる粒状ドライアイスの定量取出し装置を提供することにある。
【００１０】
しかして上記の目的を達成するためとして、請求項１に記載した発明は、内・外壁共に有平底円筒形状の本体部１０及び該本体部１０の上面開口を気密に覆わせる蓋体１１を備えて断熱構造に形成され、底壁の前面側周縁寄りの一部に直立状の粒状ドライアイス排出路１２が上下に貫通して開設されてなる粒状ドライアイス収容部２の内底部に、平底パン形状のハウジング１３、断熱構造に形成されて前記ハウジング１３内に回転可能に収容される円盤形状の枡体１４及びその上を覆わせる上面板１５を備える回転式計量装置５を収設し、さらに前記上面板１５の直上部に回転羽根状の複数本の撹拌翼１６を備える撹拌具６を回転可能に収設して、この撹拌具６と枡体１４とを同期回転可能に構成してなり、前記上面板１５の周縁寄りの一部で前記粒状ドライアイス排出路１２開口個所とは異なる位相位置に横断面が部分円弧片状の粒状ドライアイス導入口１７を開口する一方、前記ハウジング１３における下面板１３Ａの前記粒状ドライアイス排出路１２に同軸で対応する位置に該粒状ドライアイス排出路１２に比し開口面積が小さい粒状ドライアイス導出口１８を開口し、枡体１４の周縁寄りの一部で前記粒状ドライアイス導入口１７及び前記粒状ドライアイス導出口１８に同軸で対応する位置に粒状ドライアイス導入口１７に対応する大きさの粒状ドライアイス計量孔１９を上下に貫通して設け、また、前記粒状ドライアイス収容部２の直下方で粒状ドライアイス排出路１２に対応する位置に粒状ドライアイス取出し容器７を前面側から出し入れ可能に配置してなる構成としたことを特徴とする粒状ドライアイスの定量取出し装置を提供するものである。
【００１１】
また、上記の目的を達成するためとして本発明に係る請求項２に記載の発明は、上記の請求項１記載の粒状ドライアイスの定量取出し装置において、前記粒状ドライアイス導入口１７にその開口面積を増減させる調整板２２を付設し、粒状ドライアイス計量孔１９に流下する粒状ドライアイスの量を増減調節するように構成した粒状ドライアイスの定量取出し装置を提供するものである。
【００１２】
また、上記の目的を達成するためとして本発明に係る請求項３に記載の発明は、上記の請求項１又は２に記載の粒状ドライアイスの定量取出し装置において、粒状ドライアイス収容部２の下方に設けた下段ケーシング４の上面板における前記粒状ドライアイス排出路１２に対し真下の個所に粒状ドライアイス回収口２０が開口されてなり、粒状ドライアイス収容部２内の残存粒状ドライアイスを回収する際、粒状ドライアイス取出し容器７を所定位置から取出した状態下において、前記撹拌具６と前記枡体１４とを同期回転することにより、残存粒状ドライアイスを前記粒状ドライアイス回収口２０を経て下段ケーシング４に設置した粒状ドライアイス回収箱９に回収可能に形成してなる粒状ドライアイスの定量取出し装置を提供するものである。
【００１３】
また、上記の目的を達成するためとして本発明に係る請求項４に記載の発明は、粒状ドライアイス収容部２を挟み両側に隣設される上段側部ケーシング３，３が、前記粒状ドライアイス収容部２の外径Ｒに比し奥行寸法Ｄが小さい立方形状であって、粒状ドライアイス収容部２の前・後面側の少なくとも前面側を膨出させる配置にて設けられる粒状ドライアイスの定量取出し装置を提供するものである。
【００１４】
本発明では、粒状ドライアイス収容部２内に粒状ドライアイスの所定量を充填収容した状態で、回転させた枡体１４に形成した粒状ドライアイス計量孔１９が粒状ドライアイス導入口１７と合致した時点で、粒状ドライアイスがこの粒状ドライアイス計量孔１９に流下により導入されて一定量の粒状ドライアイスを収容し、枡体１４のさらなる半回転程度の回転に伴って粒状ドライアイス計量孔１９と粒状ドライアイス導出口１８及びその直下方の粒状ドライアイス排出路１２とが合致することにより、粒状ドライアイスを粒状ドライアイス計量孔１９で計量の下で一定量ずつ取出させるようになる。
【００１５】
また、枡体１４の回転と同期して回転する撹拌具６が粒状ドライアイス収容部２内の底部に設けられていることから、粒状ドライアイス計量孔１９に対し導入されようとする直前の位置に存在する粒状ドライアイスの層を効果的に撹拌する結果、架橋現象がたとえ発生するようなことがあったとしても回転する撹拌翼１６でこの架橋を確実に破壊できる。
【００１６】
さらに本発明では、粒状ドライアイス取出し容器７を所定位置から取出した状態下において、撹拌具６と枡体１４とを同期回転することにより、粒状ドライアイス収容部２内に残存している粒状ドライアイスを粒状ドライアイス回収口２０を経て下段ケーシング４に設置した粒状ドライアイス回収箱９に回収可能としたから、残存している粒状ドライアイスの全量の回収作業が手間を掛けずに簡単かつ確実に行える。
【発明の効果】
【００１７】
本発明によれば、断熱構造に形成した粒状ドライアイス収容部の内底部に回転式計量装置を収設し、この回転式計量装置の直上部に該計量装置内で回転する枡体と同期して回転する撹拌具を収設しているので、撹拌具でドライアイスの架橋をなくしながら粒状ドライアイス収容部内の粒状ドライアイスを、回転する枡体に貫設した計量空間である粒状ドライアイス計量孔に流入させ、この粒状ドライアイス計量孔のさらなる回転に伴って、該計量孔内の粒状ドライアイスを粒状ドライアイス排出路から粒状ドライアイス取出し容器に取り出すことができる。これにより、常に一定量の粒状ドライアイスを確実かつ容易に得ることが可能になる。
【００１８】
粒状ドライアイス収容部は、有平底円筒形状の本体部により形成されるため内側の周壁全体が直立壁であって、粒状ドライアイスの壁面付着を最小限に抑えることができ、さらに、粒状ドライアイスの収容効率が高いことから粒状ドライアイス収容部、ひいては該粒状ドライアイス収容部を含む装置全体をコンパクトな構造と成し得る。また、粒状ドライアイス排出路が直立筒形状で壁面付着の問題が起こり難く、しかも底壁の前面側周縁寄りの個所に設けているから前後方向の奥行寸法が短くてこの点でも装置構造のコンパクトが十分に果たされる。
【００１９】
本発明によれば、粒状ドライアイス導入口１７にその開口面積を増減させる調整板２２を付設し、粒状ドライアイス計量孔１９に流下する粒状ドライアイスの量を増減調節するように構成したので、粒状ドライアイスの取出し量を容易に変更できる。
【００２０】
また、粒状ドライアイス取出し容器を所定位置から取出した状態下において、撹拌具と枡体とを同期回転することにより、粒状ドライアイス収容部内の残存粒状ドライアイスを前記粒状ドライアイス回収口を経て下段ケーシングに設置した粒状ドライアイス回収箱に回収可能に形成してなることにより、営業終了時において粒状ドライアイス収容部内に残存する粒状ドライアイスを回収する作業がスムースにかつ手際よく行える。
【００２１】
さらに本発明によれば、ケーシング本体での粒状ドライアイス収容部を挟み両側に隣設される上段側部ケーシングを、内・外壁共に有平底円筒形状を成した粒状ドライアイス収容部の外径Ｒに比し奥行寸法Ｄが小さい立方形状で、粒状ドライアイス収容部の前・後面側の少なくとも前面側を膨出させる配置にて設けることにより、図４を参照して明らかなように装置全体としての意匠性が斬新さの点で一層優れるし、奥行寸法を縮小してコンパクトな装置に纏めることができる。
【発明を実施するための最良の形態】
【００２２】
以下に本発明に係る粒状ドライアイスの定量取出し装置について、図面に基づいて詳細に説明する。図１は、本発明の第１の実施の形態に係る定量取出し装置の要部断面示した右側面図、図２は、図１図示の粒状ドライアイスの定量取出し装置における撹拌具６及び回転式計量装置５の概略示した平面図、図３は、同じく回転式計量装置５の一部切欠示した分解斜視図である。また、図４は、同じく粒状ドライアイスの定量取出し装置の斜視図である。この粒状ドライアイスの定量取出し装置は、該装置の全体外形状を形成する本体ケーシングが、台座部としての下段ケーシング４と、粒状ドライアイス収容部２を備えて下段ケーシング４の上方中央部に配置した上段中央ケーシング１と、このケーシング１を挟んで左右両側に配置した機器収容部としての上段側部ケーシング３，３により形成される。
【００２３】
前記粒状ドライアイス収容部２は、内・外壁材として共にステンレス鋼板など金属薄板を用い、それら両壁板間に適宜厚みの断熱材を介装させて上面が開口する有平底円筒形状の容器に形成されてなる本体部１０と、該本体部１０の上面開口を気密に覆わせる蓋体１１を備えていて、全体として断熱構造の器体に形成されている。蓋体１１は、図１に断面示されるが、断熱材から成る芯層１１Ｃを挟んで表裏両面に金属薄板や熱絶縁性合成樹脂板から成る表面層１１Ａと裏面層１１Ｂとを一体的に有する３層構造に形成され、高断熱性を有する構造と成している。さらにこの粒状ドライアイス収容部２には、底壁の前面側周縁寄りの一部に直立円筒又は直立角筒の形状を成した粒状ドライアイス排出路１２が上下に貫通して開設されており、この粒状ドライアイス排出路１２は、後記する粒状ドライアイス導出口１８に対して同軸関係の直下方に接する位置でかつ広い横断面を有する貫通路に形成される。
【００２４】
このような構造とした粒状ドライアイス収容部２の内底部には、回転式計量装置５が底壁に接して収設され、さらに、この回転式計量装置５の上面に近接して撹拌具６が回転可能に収設されている。回転式計量装置５は、粒状ドライアイス収容部２の内底部に密に収められる円形の平底パン形状をなしているハウジング１３と、このハウジング１３内に平底部である下面板１３Ａに接し円周縁部である周縁板１３Ｂに近接するような円盤形状を成して中心軸周りの回転可能に収容される断熱材からなる枡体１４と、この枡体１４に対して略接する直上部位置で覆わせてハウジング１３の上面開口を塞いで取付けられる上面板１５を備えて、ハウジング１３と上面板１５が枡体１４を回転可能に内蔵して有する円盤状函体として粒状ドライアイス収容部２の内底部に密着して固定される。
【００２５】
上記回転式計量装置５におけるハウジング１３の下面板１３Ａと上面板１５とには、後記する駆動モータ８の出力軸に軸連結される回転軸２１を遊貫挿するための円孔が中心位置に穿設されており、枡体１４には、上記回転軸２１を貫挿し嵌着するための円孔が中心位置に穿設されている。さらに、上面板１５には、その周縁寄りの一部で前記粒状ドライアイス排出路１２が開口する個所とは異なる位相位置に、例えば回転角度で約２６０度位相のずれた回転対称の位置に、横断面が部分円弧片状を成す粒状ドライアイス導入口１７が開口されている。一方、ハウジング１３における下面板１３Ａには、粒状ドライアイス収容部２の底壁に設けられた前記粒状ドライアイス排出路１２に対して同軸で対応する位置に該粒状ドライアイス排出路１２に比し開口面積が小さい粒状ドライアイス導出口１８が開口されている。
【００２６】
また、回転式計量装置５の枡体１４には、その円周縁寄りの一部で前記粒状ドライアイス導入口１７及び前記粒状ドライアイス導出口１８に対し回転対称の位置に粒状ドライアイス導入口１７に対応する大きさの粒状ドライアイス計量孔１９が上下に垂直に貫通して設けられている。なお、図３において符号２２で示す部材は、粒状ドライアイス導入口１７に矢印方向（半径方向）へスライド可能に当て合わせる調整板であり、粒状ドライアイス導入口１７の開口面積を増減させて粒状ドライアイス計量孔１９に流下する粒状ドライアイスの量を増減調節するために用いられる。これにより、枡部材を交換して粒状ドライアイスの計量値を変更するものに比較して容易にその計量値（取出量）を変更することができる。
【００２７】
次いで、撹拌具６は、回転羽根状の複数本（本実施形態では２本）の撹拌翼１６を径方向の放射状に回転対称の配置で備えていて、回転中心に穿設した円孔に前記回転軸２１の端部が貫挿・嵌着されて上面板１５の直上部位置に回転可能に収設される。
このように上下の関係に配置されてなる撹拌具６と枡体１４とは、粒状ドライアイス収容部２の内底部にあって回転軸２１の回転に伴い同期の一体に回転して、枡体１４は粒状ドライアイス導入口１７から一定量の粒状ドライアイスを粒状ドライアイス計量孔１９で受取った後にこれを粒状ドライアイス導出口１８から粒状ドライアイス排出路１２に繰出させるように機能し、一方、撹拌具６は粒状ドライアイス計量孔１９に導入される直前段階の粒状ドライアイス層を撹拌翼１６で捌かせることによって架橋破壊に機能するものであり、図２に示すように撹拌翼１６の一つが回転方向（図２に矢示線で表す）を基準に粒状ドライアイス導入口１７の下流側端部の近くに位置させることが、粒状ドライアイス導入口１７を介して粒状ドライアイス計量孔１９に粒状ドライアイスがスムースに導入され得る如く成す点で好ましい手段である。
【００２８】
また、上段中央部ケーシング１における前記粒状ドライアイス収容部２の直下の個所のケーシング内には、粒状ドライアイス収容部２の底壁の直下部で前記粒状ドライアイス排出路１２に対応する位置に、掬い容器形状に形成した粒状ドライアイス取出し容器７を前面側からの出し入れ可能に配置していて、粒状ドライアイス排出路１２から下方に落下してくる粒状ドライアイスをこの粒状ドライアイス取出し容器７内に受容れるとともに前方に引き出すことによって該取出し容器７内の粒状ドライアイスを適宜取出し得るようになっている。さらに、粒状ドライアイス収容部２の直下方の上記ケーシング内の中央部個所には、駆動モータ８が出力軸を垂直上向きにして配設されていて、この出力軸に同軸連結してなる前記回転軸２１が回転式計量装置５及び撹拌具６に嵌挿入されることにより、枡体１４と撹拌翼１６とに対し嵌着されて一体的に軸結合している。
【００２９】
一方、粒状ドライアイス収容部２の下方に設けた下段ケーシング４の上面板における前記粒状ドライアイス排出路１２に対し真下に位置する個所には、この粒状ドライアイス排出路１２よりも開口面積を大きくした粒状ドライアイス回収口２０が同軸的に開口されている。この粒状ドライアイス回収口２０は、業務終了後の夜間時において前記粒状ドライアイス収容部２に残存している粒状ドライアイスを一括して回収する際に利用されるものであり、粒状ドライアイス取出し容器７を所定位置から取出した状態の下で、前記撹拌具６と前記枡体１４とを残存量に応じて決まる回転数だけ同期回転することにより、残存粒状ドライアイスを前記粒状ドライアイス回収口２０を経て下段ケーシング４に設置した粒状ドライアイス回収箱９に順次回収できるようになっている。なお、図１及び図4中の符号４Ａは下段ケーシング４の正面に蝶着された開閉扉を示す。
【００３０】
図示する本発明に係る粒状ドライアイスの定量取出し装置においては、図４に外観が示されるように、粒状ドライアイス収容部２を有する上段中央部ケーシング１を挟んで両側に隣設される機器収納部としての上段側部ケーシング３，３が、粒状ドライアイス収容部２の外径Ｒに比し奥行寸法Ｄが小さい立方形状に形成してあって、粒状ドライアイス収容部２の前・後面側の少なくとも前面側を膨出させる配置にて設けられている。このような構造と成すことにより、装置全面が平面であるものと比較すると部分的に曲面部が形成されて意匠面での効果が発揮されるだけでなく、奥行寸法を縮小してコンパクトな装置に纏めることもできる利点がある。
【００３１】
図４中、符号２３は蓋体１１と上段側部ケーシング３との間に亘らせたエアダンパー、２４は蓋体を気密固定するための蓋体留め具、２５は表示灯、２６はコイン投入口、２７はコイン排出レバー、２８はコイン取出口をそれぞれ示している。
【００３２】
以上の構成になる粒状ドライアイスの定量取出し装置をスーパーマーケットに設置した場合の使用手順について説明する。ドライアイスを同梱する必要がある商品を購入してレジで精算を済ませ、かつ要同梱商品に対応したコインを受け取った購入者が、粒状ドライアイスの定量取出し装置の設置個所に来てコインを係員に手渡すと、このコインを受け取った係員が取出し操作を行う。即ち、粒状ドライアイス取出し容器７が正規の位置に装着されていること、また、粒状ドライアイス収容部２に粒状ドライアイスが存在していることを表示灯２５などで確認の後、受け取ったコインをコイン投入口２６に投入してコイン数に対応した回転数だけ駆動モータ８を駆動させ、所要量の粒状ドライアイスを粒状ドライアイス収容部２から粒状ドライアイス取出し容器７に取出し、この粒状ドライアイス取出し容器７内の粒状ドライアイスを備え付けの合成樹脂袋に移し替えて商品購入者に渡し、一回当たりの定量取出し操作が完了する。
【００３３】
こうして定量取出し操作が何回も行われ、かつ、粒状ドライアイス収容部２への粒状ドライアイスの補給も必要に応じて数回成された後、業務終了後の時間帯になると、粒状ドライアイスの補給量が既知であり、また、駆動モータ８の運転回数から粒状ドライアイスの取出し量も既知であるところから、粒状ドライアイス収容部２内の残存粒状ドライアイスの残量は当然既知であり、そこで、粒状ドライアイス取出し容器７を所定位置から取出した後、この既知残量に応じた回転数だけ駆動モータ８を駆動することにより、残存粒状ドライアイスの全量を下段ケーシング４内に収納している粒状ドライアイス回収箱９に回収して粒状ドライアイス収容部２内を空にさせ、かくして係員による一日の作業が終了するのである。
【図面の簡単な説明】
【００３４】
【図１】本発明の実施の形態に係る粒状ドライアイスの定量取出し装置の要部縦断右側面図である。
【図２】図１図示の粒状ドライアイスの定量取出し装置における撹拌具及び回転式計量装置の概略示した平面図である。
【図３】同じく回転式計量装置の一部切欠示した分解斜視図である。
【図４】同じく粒状ドライアイスの定量取出し装置の斜視図である。
【図５】先行技術における粒状ドライアイスの定量取出し装置の縦断正面図である。
【符号の説明】
【００３５】
１…上段中央部ケーシング、２…粒状ドライアイス収容部、３…上段側部ケーシング、４…下段ケーシング、５…回転式計量装置、６…撹拌具、７…粒状ドライアイス取出し容器、８…駆動モータ、９…粒状ドライアイス回収箱、１０…本体部、１１…蓋体、１１Ａ…表面層、１１Ｂ…裏面層、１１Ｃ…芯層、１２…粒状ドライアイス排出路、１３…ハウジング、１３Ａ…下面板、１３Ｂ…周縁板、１４…枡体、１５…上面板、１６…撹拌翼、１７…粒状ドライアイス導入口、１８…粒状ドライアイス導出口、１９…粒状ドライアイス計量孔、２０…粒状ドライアイス回収口。
【図１】
2005331316.tif 000003
【図２】
2005331316.tif 000004
【図３】
2005331316.tif 000005
【図４】
2005331316.tif 000006
【図５】
2005331316.tif 000007